(57)【特許請求の範囲】
【請求項１】
車両の前後方向に延びる底壁（１６）を有するとともに後端が開口された収納室（８ｂ）がインストルメントパネル（３）に設けられ、前記収納室（８ｂ）の後端開口部を閉鎖する閉鎖位置と、底壁（１６）の後方側で略水平姿勢となって前記収納室（８ｂ）の後端開口部を開放する開放位置との間での回動作動を可能として蓋部材（１０）がインストルメントパネル（３）に取付けられる車両用グローブボックスにおいて、  蓋部材（１０）の内面側には、その蓋部材（１０）が開放位置に在るときに底壁（１６）に略面一となる、各種物品に対応した複数種類のテーブル（２６1 〜２６4 ）が、該テーブル（２６1 〜２６4 ）を蓋部材（１０）に対しスライド式とし又は上方からの嵌込み式とすることにより交換自在として選択的に装着されることを特徴とする、車両用グローブボックス。
【請求項２】
前記複数種類のテーブル（２６1 〜２６4 ）のうちには、シート状体（２９，３０）をテーブル（２６2 ）との間に着脱可能に挟み得るクリップ（２８）が取付けられたテーブル（２６2 ）が含まれることを特徴とする、請求項１記載の車両用グローブボックス。
【請求項３】
前記複数種類のテーブル（２６1 〜２６4 ）のうちには、シート状体（３１，３２）を前下りの姿勢で挿脱可能に差込み得る溝（３３）が設けられるテーブル（２６3 ）が含まれることを特徴とする、請求項１記載の車両用グローブボックス。
【請求項４】
前記複数種類のテーブル（２６1 〜２６4 ）のうちには、飲料容器（３４）を載置可能な凹部（３５）が設けられるテーブル（２６4 ）が含まれることを特徴とする、請求項１記載の車両用グローブボックス。
【発明の詳細な説明】
【０００１】
【発明の属する技術分野】
本発明は、車両用グローブボックスに関し、特に車両の前後方向に延びる底壁を有するとともに後端が開口された収納室がインストルメントパネルに設けられ、前記収納室の後端開口部を閉鎖する閉鎖位置と、底壁の後方側で略水平姿勢となって前記収納室の後端開口部を開放する開放位置との間での回動作動を可能として蓋部材がインストルメントパネルに取付けられる車両用グローブボックスに関する。
【０００２】
【従来の技術】
従来、かかるグローブボックスは、たとえば実開平３−５３３４６号公報および実開平５−８２６８０号公報等により既に知られている。
【０００３】
【発明が解決しようとする課題】
ところで、かかるグローブボックスにおいて、開放位置に在る蓋部材に各種の物品を載置することができれば便利であるが、上記各公報のグローブボックスでは蓋部材上に物品を載置することは考慮されていない。また蓋部材が開放位置に在るときに蓋部材の内面側に設けられた凹部に飲料容器を載置し得るようにしたものも実現されているが、そのものは、飲料容器専用として凹部が設けられているものであり、飲料容器以外の物品の載置に適しているとは言い難い。
【０００４】
本発明は、かかる事情に鑑みてなされたものであり、開放位置に在る蓋部材上に各種物品を載置し得るようにした車両用グローブボックスを提供することを目的とする。
【０００５】
【課題を解決するための手段】
上記目的を達成するために、請求項１記載の発明は、車両の前後方向に延びる底壁を有するとともに後端が開口された収納室がインストルメントパネルに設けられ、前記収納室の後端開口部を閉鎖する閉鎖位置と、底壁の後方側で略水平姿勢となって前記収納室の後端開口部を開放する開放位置との間での回動作動を可能として蓋部材がインストルメントパネルに取付けられる車両用グローブボックスにおいて、蓋部材の内面側には、その蓋部材が開放位置に在るときに底壁に略面一となる、各種物品に対応した複数種類のテーブルが、該テーブルを蓋部材に対しスライド式とし又は上方からの嵌込み式とすることにより交換自在として選択的に装着されることを特徴とする。
【０００６】
請求項２記載の発明は、上記請求項１記載の発明の構成に加えて、前記複数種類のテーブルのうちには、シート状体をテーブルとの間に着脱可能に挟み得るクリップが取付けられたテーブルが含まれることを特徴とする。
【０００７】
請求項３記載の発明は、上記請求項１記載の発明の構成に加えて、前記複数種類のテーブルのうちには、シート状体を前下りの姿勢で挿脱可能に差込み得る溝が設けられるテーブルが含まれることを特徴とする。
【０００８】
請求項４記載の発明は、上記請求項１記載の発明の構成に加えて、前記複数種類のテーブルのうちには、飲料容器を載置可能な凹部が設けられるテーブルが含まれることを特徴とする。
【０００９】
【発明の実施の形態】
以下、本発明の実施の形態を、添付図面に示した本発明の一実施例に基づいて説明する。
【００１０】
図１ないし図９は本発明の一実施例を示すものであり、図１は車室内の前部斜視図、図２は図１の２−２線断面図、図３は蓋部材および第１テーブルの斜視図、図４は蓋部材に第２テーブルが取付けられた状態での縦断面図、図５は蓋部材に第２テーブルが取付けられた状態での斜視図、図６は蓋部材に第３テーブルが取付けられた状態での縦断面図、図７は蓋部材に第３テーブルが取付けられた状態での斜視図、図８は蓋部材に第４テーブルが取付けられた状態での縦断面図、図９は蓋部材に第４テーブルが取付けられた状態での斜視図である。
【００１１】
先ず図１において、乗用車両の車室１内における前部には合成樹脂製のインストルメントパネル３が配設され、ステアリングハンドル４を操舵する運転者が座る運転席５側でインストルメントパネル３には各種計器類等が設けられ、また助手席６側で該インストルメントパネル３には、本発明に従うグローブボックス７が設けられる。
【００１２】
図２を併せて参照して、グローブボックス７は、インストルメントパネル３に収納凹部８が設けられるとともに、該収納凹部８内を上下に仕切り得る仕切り板９ならびに収納凹部８の一部を閉鎖し得る蓋部材１０がインストルメントパネル３に設けられて成るものである。
【００１３】
収納凹部８は、車両の幅方向（図２の紙面に垂直な方向）に沿って間隔をあけて相互に対向する一対の側壁１１と、それらの側壁１１間に設けられる天井壁１２、上部前端壁１３、上部底壁１４、下部前端壁１５および下部底壁１６とで形成される。而して車両の前後方向に沿って略水平な平坦面に形成される上部底壁１４は、両側壁１１の上下方向中間部間の前部寄りに配設されるものであり、上部前端壁１３は上部底壁１４の前端に略直角に連設されて上方に立上がり、天井壁１２は、上部底壁１４の後端よりも前方に対応する位置まで上部前端壁１３の上端から後方側に延設される。また下部前端壁１５は、上部底壁１４の後端に略直角に連設されて下方に延設されるものであり、略水平な平坦面に形成された下部底壁１６は下部前端壁１５の下端から後方側に延設される。すなわち下部底壁１６は、上部底壁１４の後端よりも後方で車両の前後方向に延びて上部底壁１４の下方に配置されるものであり、収納凹部８は、少なくともその上部底壁１４の後端よりも後方側を開放し得る形状に形成されている。
【００１４】
仕切り板９は、矩形の平板状に形成されており、上部底壁１４には該仕切り板９を摺動自在に収納せしめるガイド孔１７が設けられ、また上部底壁１４の後端よりも後方側で両側壁１１には仕切り板９の両側端をガイドするガイド溝１８がそれぞれ設けられる。而して仕切り板９は、上部底壁１４のガイド孔１７に収納された非仕切り位置（図２の実線で示す位置）と、上部底壁１４のガイド孔１７からガイド溝１８に沿って後方に引き出された仕切り位置（図２の鎖線で示す位置）との間での前後摺動を可能としてインストルメントパネル３に支承されるものであり、仕切り位置に在る仕切り板９により収納凹部８内は、上部室８ａと下部室８ｂとに区画されることになる。しかも仕切り板９が非仕切り位置に在る状態で、上部底壁１４よりも上方に突出する規制突部９ａが略Ｌ字状にして仕切り板９の後端に設けられ、仕切り位置で該仕切り板９の後端に当接して仕切り板９の後方への移動を規制するストッパ１９が両側壁１１間にわたって設けられる。
【００１５】
蓋部材１０は、下部室８ｂの後端開口部を閉鎖する閉鎖位置（図２の鎖線で示す位置）と、下部底壁１６の後方側で略水平な姿勢となって下部室８ｂの後端開口部を開放する開放位置（図２の実線で示す位置）との間での回動を可能としてインストルメントパネル３に取付けられるものであり、閉鎖位置に在る蓋部材１０の両側下部には、インストルメントパネル３で回動自在に支承されるための支軸２０，２０が突設される。またインストルメントパネル３には、開放位置に在る蓋部材１０を略水平な姿勢に保持すべく、蓋部材１０に当接するストッパ面２１が設けられる。
【００１６】
ところで、閉鎖位置で蓋部材１０はストッパ１９に当接するものであり、ストッパ１９の上面に設けられた一対の係止凹部２２，２２に弾発的に係合可能な一対の係合突部２３，２３が蓋部材１０に設けられ、両係合突部２３，２３を係止凹部２２，２２にそれぞれ係合せしめることにより、蓋部材１０の閉鎖位置が保持される。
【００１７】
図３を併せて参照して、蓋部材１０の内面側には、該蓋部材１０の回動軸線に沿う両端を開放して横断面略Ｕ字状に形成される装着凹部２４が設けられており、該装着凹部２４の両側面には、装着凹部２４の長手方向全長にわたるガイド溝２５，２５が設けられる。
【００１８】
装着凹部２４には、図１ないし図３で示す第１テーブル２６1 、図４および図５で示す第２テーブル２６2 、図６および図７で示す第３テーブル２６3 、ならびに図８および図９で示す第４テーブル２６4 等の各種テーブルの１つを択一的に装着可能である。
【００１９】
第１テーブル２６1 は、ガイド溝２５，２５に摺動可能に嵌合する突部２７，２７を両側端に有して平板状に形成されるものであり、突部２７，２７をガイド溝２５，２５に嵌合させるようにして蓋部材１０の内面側すなわち装着溝２４に着脱可能に装着される。しかも蓋部材１０に装着された第１テーブル２６1 は、該蓋部材１０が開放位置に在るときには収納凹部８の下部底壁１６と略面一となる。
【００２０】
図４および図５において、第２テーブル２６2 は、ガイド溝２５，２５に摺動可能に嵌合する突部２７，２７を両側端に有して平板状に形成されるとともに、開放位置に在る蓋部材１０の装着溝２４に装着された状態では収納凹部８の下部底壁１６と略面一となるものである。しかも第２テーブル２６2 には、レシート等のシート状体２９，３０を第２テーブル２６2 との間に着脱可能に挟み得る１あるいは複数のクリップ２８…が取付けられる。
【００２１】
図６および図７において、第３テーブル２６3 は、ガイド溝２５，２５に摺動可能に嵌合する突部２７，２７を両側端に有して平板状に形成されるとともに、開放位置に在る蓋部材１０の装着溝２４に装着された状態では収納凹部８の下部底壁１６と略面一となるものである。しかも第３テーブル２６3 には、カード等のシート状体３２，３３を前下りの姿勢で挿脱可能に差込み得る１あるいは複数の溝３３…が設けられる。
【００２２】
図８および図９において、第４テーブル２６4 は、ガイド溝２５，２５に摺動可能に嵌合する突部２７，２７を両側端に有して平板状に形成されるとともに、開放位置に在る蓋部材１０の装着溝２４に装着された状態では収納凹部８の下部底壁１６と略面一となるものである。しかも第４テーブル２６4 には、コップ等の飲料容器３４を載置し得る１あるいは複数の円形の凹部３５…が設けられる。
【００２３】
次にこの実施例の作用について説明すると、グローブボックス７においては、仕切り板９を非仕切り位置および仕切り位置間で移動せしめるとともに、蓋部材１０を閉鎖位置および開放位置間で回動せしめることにより、多目的の使用が可能となる。
【００２４】
すなわち、仕切り板９を上部底壁１４内に収納した非仕切り位置とし、蓋部材１０を閉鎖位置としたときには、下部底壁１６の上方が開放されているので、上部底壁１４上に比較的小さな被収納物を載せるとともに、ペットボトル等の比較的大型の縦長物を下部底壁１６上に載せるようにして収納凹部８に収納することが可能であり、この際、下部底壁１６が略水平な平坦面となっていることにより縦長物を安定的に支持することが可能である。また蓋部材１０をその閉鎖位置で当接させるストッパ１９が、収納凹部８の両側壁１１間にわたって設けられていることにより、蓋部材１０を開放したとしても、前記縦長物を仕切り板９の規制突部９ａおよびストッパ１９間で挟むようにして該縦長物の転倒を防止することができる。
【００２５】
非仕切り位置に在る仕切り板９の後端には上部底壁１４から上方に突出する規制突部９ａが設けられており、その規制突部９ａにより上部底壁１４上にある被収納物が上部底壁１４上から後方側に移動することを阻止することができ、被収納物を上部底壁１４上に安定的に保持することが可能である。
【００２６】
仕切り板９を上部底壁１４から仕切り位置に引き出したときには、収納凹部８内を上部室８ａおよび下部室８ｂに区画することができ、上部底壁１４および仕切り板９上に跨って載るような比較的大きな被収納物を上部室８ａに収納し、比較的小さな収納物を下部室８ｂに収納することができる。この際、蓋部材１０を閉鎖位置としておくことにより、下部室８ｂを外部から視認し得ない状態とすることが可能であり、他人から見られたくない物等を下部室８ｂに収納することができる。
【００２７】
蓋部材１０を、開放位置としたときには、該蓋部材１０に装着されるテーブル２６1 〜２６4 を選ぶことにより、各種物品を蓋部材１０の内面側に載せることができる。すなわち第１テーブル２６1 を蓋部材１０に装着したときには、第１テーブル２６1 が平坦な平板状であることから各種物品を汎用的に載せることができ、しかも第１テーブル２６1 を下部底壁１６と略面一としたことから、下部底壁１６および蓋部材１０上に跨って載るような比較的大きな物品を安定的に載せることができる。
【００２８】
また第２テーブル２６2 を選択したときには、クリップ２８…によりレシート等のシート状体２９，３０を安定的に保持することが可能であり、第３テーブル２６3 を選択したときには、溝３３…によりカード等のシート状体３１，３２を安定的に保持することができ、さらに第４テーブル２６4 を選択したときには、凹部３５…により飲料容器３４を安定的に保持することができる。
【００２９】
このようにして第１ないし第４テーブル２６1 〜２６4 等の各種テーブルを予め準備しておき、開放位置に在る蓋部材１０上に載せる物品に対応したテーブルを選択することにより各種物品を蓋部材１０上に安定的に保持することが可能となる。
【００３０】
しかも第１〜第４テーブル２６1 〜２６4 は、スライド可能として蓋部材１０に装着されるものであることから、図３で示す状態のように、各テーブル２６1 〜２６4 をその一部が蓋部材１０から側方にはみ出すようにすることも可能であり、そうすればより広い載置面を確保することができる。また第３および第４テーブル２６3 ，２６4 については、裏面側を上面として蓋部材１０に装着することも可能であり、第１テーブル２６1 の機能を第３テーブル２６3 あるいは第４テーブル２６4 で果すことができる。
【００３１】
以上、本発明の実施例を詳述したが、本発明は上記実施例に限定されるものではなく、特許請求の範囲に記載された本発明を逸脱することなく種々の設計変更を行なうことが可能である。
【００３２】
たとえば蓋部材にスライド式のテーブルを装着するのに代えて、上方からの嵌込み式でテーブルを着脱可能に蓋部材に取付けるようにしてもよく、また本発明は、収納凹部の後端開口部全体が蓋部材で覆われるようにしたグローブボックスにも適用可能である。
【００３３】
【発明の効果】
以上のように請求項１の発明によれば、蓋部材の内面側には、その蓋部材が開放位置に在るときに底壁に略面一となる、各種物品に対応した複数種類のテーブルが、該テーブルを蓋部材に対しスライド式とし又は上方からの嵌込み式とすることにより交換自在として選択的に装着されるので、各種物品に対応した複数のテーブルを予め準備しておき、開放位置に在る蓋部材上に載せるべき物品に対応したテーブルを選択することにより、開放位置の蓋部材上に各種物品を安定的に載置することが可能となる。
【００３４】
また請求項２の発明によれば、上記請求項１の発明の効果に加えて、シート状体をテーブルとの間に着脱可能に挟み得るクリップが取付けられるテーブルを選択でき、その場合には、シート状体を該テーブル上に安定的に保持することができる。
【００３５】
請求項３の発明によれば、上記請求項１の発明の効果に加えて、シート状体を前下りの姿勢で挿脱可能に差込み得る溝が設けられるテーブルを選択でき、その場合には、シート状体を該テーブル上に安定的に保持することができる。
【００３６】
さらに請求項４の発明によれば、上記請求項１の発明の効果に加えて、飲料容器を載置可能な凹部が設けられるテーブルを選択でき、その場合には、飲料容器を該テーブル上に安定的に保持することができる。
【図面の簡単な説明】
【図１】車室内の前部斜視図である。
【図２】図１の２−２線断面図である。
【図３】蓋部材および第１テーブルの斜視図である。
【図４】蓋部材に第２テーブルが取付けられた状態での縦断面図である。
【図５】蓋部材に第２テーブルが取付けられた状態での斜視図である。
【図６】蓋部材に第３テーブルが取付けられた状態での縦断面図である。
【図７】蓋部材に第３テーブルが取付けられた状態での斜視図である。
【図８】蓋部材に第４テーブルが取付けられた状態での縦断面図である。
【図９】蓋部材に第４テーブルが取付けられた状態での斜視図である。
【符号の説明】
３・・・インストルメントパネル
７・・・グローブボックス
８・・・収納凹部
８ｂ・・・収納室
１０・・・蓋部材
１６・・・底壁
２６1 〜２６4 ・・・テーブル
２８・・・クリップ
２９〜３２・・・シート状体
３３・・・溝
３４・・・飲料容器
３５・・・凹部
【図１】
0003542205.tif 000002
【図２】
0003542205.tif 000003
【図３】
0003542205.tif 000004
【図４】
0003542205.tif 000005
【図５】
0003542205.tif 000006
【図６】
0003542205.tif 000007
【図７】
0003542205.tif 000008
【図８】
0003542205.tif 000009
【図９】
0003542205.tif 000010